(57)【要約】【課題】ケーブルクランプとテンションメンバクランプの取り付け方向を容易に短時間で変更することができるクランプ装置を提供する。【解決手段】クランプ装置３は、光ケーブル２のケーブル部２ａを固定するためのケーブルクランプ４と、光ケーブル２のテンションメンバ２ｂを固定するためのテンションメンバクランプ５とをパネル６上に設け、パネル６の１箇所を筐体１に螺子７で螺着し、筐体１は螺子７を枢軸としてパネル６を回転させた時にパネル６の裏面に突設した爪６ｂの軌跡上に複数の係止孔１ｂを穿設し、任意の係止孔１ｂにパネル６の爪６ｂを係止させるとともに螺子７によりパネル６を筐体１に螺着して固定する。【選択図】　　　　図１
2004037782.tif 000002
【特許請求の範囲】
【請求項１】
筐体内部に引き込んだ光ケーブルを固定するためのクランプ装置において、前記光ケーブルのケーブル部を固定するためのケーブルクランプと、前記光ケーブルのテンションメンバを固定するためのテンションメンバクランプとをパネル上に設け、該パネルの１箇所を前記筐体に螺子で螺着し、前記筐体は前記螺子を枢軸として前記パネルを回転させた時に前記パネルの裏面に突設した爪の軌跡上に複数の係止孔を穿設し、任意の係止孔に前記パネルの爪を係止させるとともに前記螺子により前記パネルを螺着して固定したことを特徴とするクランプ装置。
【発明の詳細な説明】
【０００１】
【発明の属する技術分野】
本発明は、光ケーブルを固定するためのクランプ装置に関する。
【０００２】
【従来の技術】
従来、図３に示すように筐体１１の背面開口から光ケーブル１２を引き込む場合、筐体１１の後端近傍に光ケーブル１２のケーブル部１２ａを固定するためのケーブルクランプ１４を左右両端の２箇所で螺着して取り付け、ケーブルクランプ１４の前方に光ケーブル１２のテンションメンバ１２ｂを固定するためのテンションメンバクランプ１５を左右両端の２箇所で螺着して取り付けていた。これらのケーブルクランプ１４とテンションメンバクランプ１５は取り付け位置を変更することはなかった。
【０００３】
【発明が解決しようとする課題】
このため、光ケーブルの入線方向が限定されるので光ケーブルの配線状態によっては光ケーブルを大きく引き回さなければならない場合があった。また、ケーブルクランプとテンションメンバクランプの取り付け方向を変更できるようにしても、ケーブルクランプとテンションメンバクランプを１つずつ取り外し、付け替えなけらばならず手間がかかっていた。
【０００４】
そこで上記問題点に鑑み、本発明の目的は、ケーブルクランプとテンションメンバクランプの取り付け方向を容易に短時間で変更することができるクランプ装置を提供することである。
【０００５】
【課題を解決するための手段】
上記目的を達成するために、筐体内部に引き込んだ光ケーブルを固定するためのクランプ装置において、光ケーブルのケーブル部を固定するためのケーブルクランプと、光ケーブルのテンションメンバを固定するためのテンションメンバクランプとをパネル上に設け、パネルの１箇所を筐体に螺子で螺着し、筐体は螺子を枢軸としてパネルを回転させた時にパネルの裏面に突設した爪の軌跡上に複数の係止孔を穿設し、任意の係止孔にパネルの爪を係止させるとともに螺子によりパネルを螺着して固定したことを特徴とする。
【０００６】
【発明の実施の形態】
クランプ装置は、光ケーブルのケーブル部を固定するためのケーブルクランプと、光ケーブルのテンションメンバを固定するためのテンションメンバクランプとをパネル上に設け、パネルの１箇所を筐体に螺子で螺着し、筐体は螺子を枢軸としてパネルを回転させた時にパネルの裏面に突設した爪の軌跡上に複数の係止孔を穿設し、任意の係止孔にパネルの爪を係止させるとともに螺子によりパネルを螺着して固定する。
【０００７】
【実施例】
本発明に係るクランプ装置の実施例を図１及び図２の添付図面に基づいて説明する。
【０００８】
筐体１の内部に引き込んだ光ケーブル２を固定するためのクランプ装置３は、光ケーブル２のケーブル部２ａを固定するためのケーブルクランプ４と、光ケーブル２のテンションメンバ２ｂを固定するためのテンションメンバクランプ５と、金属板材のパネル６とで構成している。
【０００９】
ケーブルクランプ４は光ケーブル２のケーブル部２ａを上面に載置するケーブル受部４ａと、ケーブル受部４ａと対向して配置されてケーブル部２ａを押さえるケーブル押さえ部４ｂとから成っている。ケーブル受部４ａはパネル６の一方端をコ字状に折曲してパネル６と一体に形成されている。また、ケーブル押さえ部４ｂはコ字状に折曲形成されて長手方向の両端縁に複数の円弧状の切欠４ｃが形成されている。光ケーブル２はケーブル部２ａをケーブル受部４ａに載置された後、ケーブル押さえ部４ｂの切欠４ｃに嵌められてケーブル押さえ部４ｂの長手方向両端をケーブル受部４ａに螺着して挟持固定される。また、ケーブル受部４ａの上面に複数のＵ字孔４ｄが穿設されており、ケーブル押さえ部４ｂを取り外し、インシュロック（図示せず）をこのＵ字孔４ｄに挿通させて光ケーブル２のケーブル部２ａを締着することもできる。
【００１０】
テンションメンバクランプ５は円柱状に形成され、先端にテンションメンバ２ｂが嵌まる溝５ａが形成され、溝５ａの内壁に固定ねじ５ｂが螺着可能にタップ５ｃが形成されている。テンションメンバクランプ５はパネル６の他方端近傍にケーブルクランプ４のケーブル押さえ部４ｂの切欠４ｃの数と同じ数だけ設けられ、溝５ａがこの切欠４ｃの方向に向いている。光ケーブル２から延びるテンションメンバ２ｂはテンションメンバクランプ５の溝５ａに嵌めた後、タップ５ｃに固定ねじ５ｂを螺合させて締め付け固定される。
【００１１】
パネル６は略中央の１箇所に螺子７が挿通するための螺子挿通孔６ａが穿設され、パネル６の裏面の２箇所に爪６ｂが突設されている。
【００１２】
筐体１はパネル６の螺子挿通孔６ａと対向する螺子孔１ａが穿設されている。また、筐体１はパネル６の螺子挿通孔６ａに螺子７を挿通させて筐体１の螺子孔１ａに螺合させ、螺子７を枢軸にパネル６を回転させた際にパネル６の爪６ｂの軌跡上に複数の係止孔１ｂが穿設されている。
【００１３】
パネル６は爪６ｂを任意の係止孔１ｂに係止させるとともに螺子挿通孔６ａに螺子７を挿通させて筐体１の螺子孔１ａに螺着することにより固定される。光ケーブル２の入線方向を変更する場合は、螺子７を緩め、パネル６を少し持ち上げて係止孔１ｂとの係止を解除し、回転させて任意の係止孔１ｂに係止させて、再び螺子７を締め付けることにより変更できる。
【００１４】
尚、本実施例においてパネルに形成される螺子挿通孔の位置を略中央としたが、これに限定するものではないし、また、爪及び係止孔の数についても限定はない。
【００１５】
また、ケーブルクランプのケーブル受部はパネルの一部を利用して一体に形成したが、別部材で形成しても良く、ケーブルクランプ及びテンションメンバクランプの形状について限定はない。
【００１６】
【発明の効果】
以上説明したように、筐体内部に引き込んだ光ケーブルを固定するためのクランプ装置において、光ケーブルのケーブル部を固定するためのケーブルクランプと、光ケーブルのテンションメンバを固定するためのテンションメンバクランプとをパネル上に設け、パネルの１箇所を筐体に螺子で螺着し、筐体は螺子を枢軸としてパネルを回転させた時にパネルの裏面に突設した爪の軌跡上に複数の係止孔を穿設し、任意の係止孔にパネルの爪を係止させるとともに螺子によりパネルを螺着して固定したことにより、ケーブルクランプとテンションメンバクランプの取り付け方向を容易に短時間で変更することができるという優れた効果がある。
【図面の簡単な説明】
【図１】本発明に係るクランプ装置を示す分解斜視図である。
【図２】本発明に係るクランプ装置を筐体に取り付ける様子を示す斜視図である。
【図３】従来のケーブルクランプとテンションメンバクランプとで光ケーブルを固定した状態を示す筐体の斜視図である。
【符号の説明】
１…筐体
１ａ…螺子孔
１ｂ…係止孔
２…光ケーブル
２ａ…ケーブル部
２ｂ…テンションメンバ
３…クランプ装置
４…ケーブルクランプ
５…テンションメンバクランプ
６…パネル
６ａ…螺子挿通孔
６ｂ…爪
７…螺子
【図１】
2004037782.tif 000003
【図２】
2004037782.tif 000004
【図３】
2004037782.tif 000005